(57)【要約】【課題】ディスクの回転およびディスクトレイの振動に伴う騒音を低減する。【解決手段】トレイ支持体１８を、フロントパネル１５側に設置された防振部材６における弾性部材７から先端部が突出している支柱９上面に設け、光ディスク回転機構であるスピンドルモータ１およびクランパ３が、光ディスク２を保持しているローディング時に、トレイ支持体１８によりディスクトレイ１０の下側部を支え、ディスクトレイ１０の振動を低減させる。【選択図】　　図２
2004110927.tif 000002
【特許請求の範囲】
【請求項１】
光ディスクが取り外し可能に載置される受皿部を有し、かつ装置本体に対して内外へ進退可能に設置されるディスクトレイと、前記受皿部に光ディスクを載置した前記ディスクトレイが前記装置本体内に収納されているときに光ディスクを保持して回転駆動する光ディスク回転機構と、少なくとも前記光ディスク回転機構を支持する駆動部支持部材と、前記ディスクトレイを前記装置本体の前面において出し入れするための開口部を有するフロントパネルとを備えた光ディスクドライブ装置において、
前記光ディスク回転機構が光ディスクを保持しているときに、前記ディスクトレイの下側部を支えるトレイ支持体を備えたことを特徴とする光ディスクドライブ装置。
【請求項２】
前記ディスクトレイの前面にドア部を設け、前記ディスクトレイが装置本体に収納されたとき、前記ドア部が前記フロントパネルの前記開口部周部に接合することを特徴とする請求項１記載の光ディスクドライブ装置。
【請求項３】
前記トレイ支持体を、前記駆動部支持部材に設けられて防振および吸振を図る防振材と該防振材を支持する支柱とからなる防振部材における先端部に付設したことを特徴とする請求項１記載の光ディスクドライブ装置。
【請求項４】
前記ディスクトレイと前記防振部材との干渉を避ける逃げ孔を前記ディスクトレイの下側部に設けたことを特徴とする請求項３に記載の光ディスクドライブ装置。
【請求項５】
前記防振部材の先端部分に前記トレイ支持体としてのキャップ部材を嵌着し、このキャップ部材を前記逃げ孔から挿入し、かつキャップ部材の鍔部により前記ディスクトレイの下側部を支えるように構成したことを特徴とする請求項３または４記載の光ディスクドライブ装置。
【請求項６】
前記防振部材の先端部周囲における前記逃げ孔の空隙部を塞ぐように前記トレイ支持体に延出部を設けたことを特徴とする請求項４または５記載の光ディスクドライブ装置。
【請求項７】
前記トレイ支持体により、前記ディスクトレイにおける受皿部以外の下側部を支えることを特徴とする請求項１記載の光ディスクドライブ装置。
【請求項８】
前記トレイ支持体により、前記ディスクトレイにおける受皿部以外の前記フロントパネル側を支えることを特徴とする請求項１記載の光ディスクドライブ装置。
【請求項９】
前記ディスクトレイにおける前記トレイ支持体により支えられる位置に、前記トレイ支持体の先端部が突出する通孔を設けたことを特徴とする請求項７または８記載の光ディスクドライブ装置。
【請求項１０】
前記ディスクトレイにおける前記トレイ支持体により支えられる位置に、トレイ横方向に延在するように長孔を設け、この長孔から前記トレイ支持体の先端部を立壁状に突出させたことを特徴とする請求項７または８記載の光ディスクドライブ装置。
【発明の詳細な説明】
【０００１】
【発明の属する技術分野】
本発明は、光ディスクをディスクトレイ上に載せて装置本体内にローディングし、回転駆動させる機構を具備する光ディスクドライブ装置に係り、特にディスク回転駆動に伴うディスクトレイの振動が原因となる騒音を低減する騒音低減構造に関する。
【０００２】
【従来の技術】
従来、光ディスクドライブ装置は、一般的に、内部に光ピックアップを備えた装置本体と、光ディスクを着脱自在に保持する受皿部を備え、かつ装置本体の前面に設けた開口から内外へ進退可能に支持されたディスクトレイと、光ディスクを受皿部に保持したディスクトレイを装置本体内に装填したときに、受皿部上の光ディスクを保持して回転駆動するスピンドルモータと、スピンドルモータおよび光ピックアップなどを保持するための内部構造体と、さらにディスクトレイを装置本体の前面に引き出しまたは収納するための開口部を有するフロントパネルを備えた構成になっている。
【０００３】
光ディスクドライブ装置は、記録／再生の対象となる光ディスクの記憶容量が大きいこと、また単位記憶容量当たりの単価が安いことから、パソコンの主な周辺機器として開発が進められ、そのデータの読み出し速度は高速化の一途を辿っている。一般的に、データの読み出し速度を大きくする方法として光ディスクの回転数を大きくする方法が採用され、初期の光ディスクドライブ装置の基準回転速度（２００ｒｐｍ）を１とすると、現在では、その３２倍速（６４００ｒｐｍ）以上のものが一般的となっており、最近では５０倍速（１００００ｒｐｍ）を超えるものも多く存在するようになっている。
【０００４】
光ディスクの回転速度が速くなるにつれて、光ディスクの回転に伴って発生する風切り音が次第に大きくなり、光ディスクドライブ装置の騒音源の主な要因となっている。光ディスクドライブ装置の騒音は、単倍速、すなわち１０倍速（２０００ｒｐｍ）未満の回転数では、それほど気になるものではなかったが、１０倍速以上、特に３２倍速以上の回転数では大きな騒音となっている。
【０００５】
また、光ディスクの回転に伴って発生する風の影響を最も受けるのがディスクトレイであり、光ディスクはディスクトレイにおける受皿部内で回転するため、受皿部の側面壁は風の力を直接受けることとなり、ディスクトレイに振動を生じる。このディスクトレイに生じる振動は、光ディスクの回転速度の上昇に伴って、周波数および振幅共に増大し、発生する騒音も大きくなってきている。
【０００６】
現状では、前記のようなトレイ振動を原因とする騒音は、風切り音以外の騒音源として、最も大きいものの一つとなっており、トレイ振動の抑制による騒音の低減化が求められている。
【０００７】
従来の光ディスクドライブ装置では、この騒音を抑制する対策として光ディスクドライブ装置のトレイドア部分（ディスクトレイを出し入れするフロントパネルにおける開口と、この開口を開閉するドア）に隙間が生じないように、その密閉性を高め、装置本体内部で生じる騒音をその内に閉じこめるといった遮音を主とした対策が採られている。
【０００８】
例えば特許文献１には、フロントパネルに設けられたトレイドアとディスクトレイとの間に弾性部を設け、弾性部の弾性復元力によって、トレイドアとディスクトレイとを密閉するようにした光ディスク装置が記載されている。これは隙間の密閉による遮音の他に、トレイドアとディスクトレイに押し付けることによるトレイ振動の抑制効果が若干見込まれる。
【０００９】
さらに、光ディスクの回転速度の上昇は、光ディスクドライブ装置自体から発生する振動（自励振動）を増大させることになる。光ディスクドライブ装置では、この光ディスク回転に伴う自励振動を低減させるために、スピンドルモータなどを保持するための支持枠体などからなる内部構造体が、ゴム材およびその支柱などからなる防振部材を介して、光ディスクドライブ装置の主筐体に搭載されているが、光ディスクの回転速度上昇に伴う発生振動の増大によって、防振部材を大型化して防振ストローク（防振余裕）を大きく取る必要性、あるいは二重防振構造を持つ必要性が発生している。
【００１０】
また、光ディスクドライブ装置の自励振動は、当然、内部に収納されているディスクトレイにも影響を及ぼし、その共振によってディスクトレイの振動がさらに増幅されることとなり、ディスクトレイにおける振動の抑制が、さらに求められる傾向にある。
【００１１】
【特許文献１】
特開２０００−２３１７７９公報
【００１２】
【発明が解決しようとする課題】
上述したように従来の光ディスクドライブ装置では、装置本体に対してディスクトレイを引き出し、または収納することによって、装置本体に対する光ディスクの取り込みおよび取り出しを行っている。そのため装置本体のフロントパネルには開口部を設ける必要があるが、開口部の形状，構造には機能上の制限がある。ディスクトレイの前面部としてのフロントパネルの一部を構成するドアを、フロントパネルに対して良好に密着させることによって、ある程度、ディスク回転による風切り音がフロントパネル前面部からの漏れること、およびディスクトレイの振動を、ある程度は抑制することはできる。
【００１３】
しかしながら、前記のような要因を基とした騒音は、ディスク回転の高速化に伴い増大の一途を辿っており、現状では完全に抑えることは困難となっている。また、フロントパネルおよびドアの形状によっては、高い効果を得るためには外観に悪影響を与える可能性もあることから、光ディスクドライブ装置内部における対策を施すことが求められている。
【００１４】
本発明の目的は、前記従来の課題に鑑みなされたものであって、光ディスクの回転速度が高速化の一途を辿り、ディスク回転に伴う風切り音、あるいはディスクトレイの振動に伴う騒音が増大し続ける光ディスクドライブ装置において、装置の外観に影響を与えることなく、ディスクの回転およびディスクトレイの振動に伴う騒音を低減することができる構成にした光ディスクドライブ装置を提供することにある。
【００１５】
【課題を解決するための手段】
前記目的を達成するため、請求項１に記載の発明は、光ディスクが取り外し可能に載置される受皿部を有し、かつ装置本体に対して内外へ進退可能に設置されるディスクトレイと、前記受皿部に光ディスクを載置した前記ディスクトレイが前記装置本体内に収納されているときに光ディスクを保持して回転駆動する光ディスク回転機構と、少なくとも前記光ディスク回転機構を支持する駆動部支持部材と、前記ディスクトレイを前記装置本体の前面において出し入れするための開口部を有するフロントパネル体とを備えた光ディスクドライブ装置において、前記光ディスク回転機構が光ディスクを保持しているときに、前記ディスクトレイの下側部を支えるトレイ支持体を備えたことを特徴とし、この構成によって、光ディスク回転機構が光ディスクを保持する際に、光ディスクの受皿となるディスクトレイを下からトレイ支持体により支えることにより、音の発生源であるディスクトレイ部分における振動を、トレイ支持体を具備しない従来装置に比べて良好に抑制することができるため、ディスクトレイの振動に伴う騒音を低減することができる。
【００１６】
請求項２に記載の発明は、請求項１記載の光ディスクドライブ装置において、ディスクトレイの前面にドア部を設け、ディスクトレイが装置本体に収納されたとき、ドア部がフロントパネルの開口部周部に接合することを特徴とし、この構成によって、ディスクトレイがトレイ支持体とドア部とによって確実に支えることができるため、ディスクトレイの振動に伴う騒音を確実に低減することができる。
【００１７】
請求項３に記載の発明は、請求項１記載の光ディスクドライブ装置において、トレイ支持体を、駆動部支持部材に設けられて防振および吸振を図る防振材と該防振材を支持する支柱とからなる防振部材における先端部に付設したことを特徴とし、この構成によって、ディスクトレイの振動を効果的に抑制することが可能になり、それに伴う騒音を低減させることができる。
【００１８】
請求項４に記載の発明は、請求項３に記載の光ディスクドライブ装置において、ディスクトレイと防振部材との干渉を避ける逃げ孔をディスクトレイの下側部に設けたことを特徴とし、この構成によって、防振材を大きくして防振ストロークに余裕を持たせることができるため、装置の自励振動に誘発されるトレイの振動を抑制することができ、それに伴う騒音を低減させることができる。
【００１９】
請求項５に記載の発明は、請求項３または４記載の光ディスクドライブ装置において、防振部材の先端部分にトレイ支持体としてのキャップ部材を嵌着し、このキャップ部材を逃げ孔から挿入し、かつキャップ部材の鍔部によりディスクトレイの下側部を支えるように構成したことを特徴とし、この構成によって、逃げ孔がキャップ部材によって塞がれることになるため、ディスクトレイと装置の自励振動を抑制することができ、それに伴う騒音をより効果的に低減させることができる。
【００２０】
請求項６に記載の発明は、請求項４または５記載の光ディスクドライブ装置において、防振部材の先端部周囲における逃げ孔の空隙部を塞ぐように前記トレイ支持体に延出部を設けたことを特徴とし、この構成によって、防振部材が延出部によって確実に支持されるようになり、しかも逃げ孔部分が延出部によってより良好に塞がれることになるため、自励振動の抑制効果と共に、騒音の発生，漏れを防ぐことができ、騒音をさらに効果的に低減させることができる。
【００２１】
請求項７に記載の発明は、請求項１記載の光ディスクドライブ装置において、トレイ支持体により、ディスクトレイにおける受皿部以外の下側部を支えることを特徴とし、この構成によって、トレイ支持体と受皿部との配置関係を考慮せずに、トレイ支持体によってディスクトレイ部分における振動を抑制することができ、それに伴う騒音を低減させることができると共に、設計の自由度を高めることができる。
【００２２】
請求項８に記載の発明は、請求項１記載の光ディスクドライブ装置において、トレイ支持体により、ディスクトレイにおける受皿部以外のフロントパネル体側を支えることを特徴とし、この構成によって、ドアが備えられたフロントパネルに近い箇所でディスクトレイにおける振動を抑制することができ、それに伴う騒音を低減させることができる。
【００２３】
請求項９に記載の発明は、請求項７または８記載の光ディスクドライブ装置において、ディスクトレイにおけるトレイ支持体により支えられる位置に、トレイ支持体の先端部が突出する通孔を設けたことを特徴とし、この構成によって、ディスクトレイとトレイ支持体とが確実かつ良好に接触して支持することになるため、ディスクトレイにおける振動をより効果的に抑制することができ、それに伴う騒音を低減させることができる。
【００２４】
請求項９に記載の発明は、請求項７または８記載の光ディスクドライブ装置において、ディスクトレイにおけるトレイ支持体により支えられる位置に、トレイ横方向に延在するように長孔を設け、この長孔からトレイ支持体の先端部を立壁状に突出させたことを特徴とし、この構成によって、ディスクトレイとトレイ支持体とが確実かつ良好に接触して支持することになるため、ディスクトレイにおける振動をより効果的に抑制することができ、それに伴う騒音を低減させることができると共に、突出したトレイ支持体が防音壁を兼ねるため、装置から外部に漏れる騒音をより低減させることができる。
【００２５】
【発明の実施の形態】
以下、本発明の好適な実施形態について図面を参照しながら説明する。
【００２６】
図１は本発明に係る実施形態１を説明するための光ディスクドライブ装置の概略構成を示す分解斜視図、図２は図１に示す実施形態１の側面断面図であり、１は光ディスク２を回転させる光ディスク回転機構の主構成部材であるスピンドルモータ、３は、クランパプレート４に設けられて、光ディスク２をスピンドルモータ１に押し付けて保持するクランパ、５はスピンドルモータ１あるいは図示しない光ピックアップなどを保持する駆動部支持部材であるメカシャーシ、６は、メカシャーシ５に複数設置（本例では４箇所）されて、図２に示すように、メカシャーシ５を振動減衰性に優れた弾性部材７を介して内部筐体８に保持する防振部材、９は、弾性部材７を保持するようにメカシャーシ５に立設され、防振部材６を構成する支柱である。
【００２７】
１０は、光ディスク２が着脱可能に載置される受皿部１１を有し、かつベースフレーム１３と該ベースフレーム１３を覆うトップカバー１４からなる装置本体に装置内外に対して進退可能に設置されるディスクトレイ、１５はベースフレーム１３の前側（図では左側）に固定されたフロントパネル、１６はディスクトレイ１０の前側に固定され、ディスクトレイ１０の移動に伴ってフロントパネル１５に設けられた開口部１７を開閉するドアである。
【００２８】
前記光ディスクドライブ装置内の構成部品は、全てベースフレーム１３内に設置され、ベースフレーム１３の上面部分において、ディスクトレイ１０が、ローディング方向あるいはアンローディング（エジェクト）方向に移動する。ディスクトレイ１０の装置本体収納時に、ディスクトレイ１０の前側に設けられたドア１６がフロントパネル１５の開口部１７に嵌まり、これによって、ディスクトレイ１０の前側がドア１６を介してフロントパネル１５に固定保持され、かつ装置本体が外部に対して密閉された状態になるようにしてある。
【００２９】
また、１８はトレイ支持体であって、トレイ支持体１８は、図２に示すように、フロントパネル１５側に設置された防振部材６における弾性部材７から先端部が突出している支柱９上面に設けられ、このトレイ支持体１８は、光ディスク回転機構であるスピンドルモータ１およびクランパ３が、光ディスク２を保持しているローディング時に、ディスクトレイ１０の下側部を支えるように配設されている。
【００３０】
ディスクトレイ１０が引き出されている図１に示す状態では、メカシャーシ５などからなる機構部分は、装置本体の前側に向かって前下がりに傾斜した状態になって、ディスクトレイ１０のローディング方向への移動を可能にしており、また、図２に示すようにディスクトレイ１０が装置本体内に収納された状態では、装置本体内においてディスクトレイ１０を含めてメカシャーシ５などからなる機構部分が水平状態になり、さらにドア１６がフロントパネル１５の開口部１７に嵌まって、装置本体が外部に対して密閉された状態になる。
【００３１】
装置本体内に引き込まれた状態にあるディスクトレイ１０の下側部は、図２に示すように、トレイ支持体１８にて下から押さえ付けられる。これによって、ディスクトレイ１０が装置本体前面部におけるドア１６以外の部分でも固定されることになり、ディスクトレイ１０に発生する振動が抑制され、その振動に伴って発生する騒音がより低減されることになる。
【００３２】
図３は本発明の実施形態２を説明するための光ディスクドライブ装置の要部を示す側面断面図である。なお、以下の説明において、図１，図２の実施形態１にて説明した部材に対応する部材には同一符号を付して詳しい説明は省略する。
【００３３】
実施形態２では、防振部材６が設置されている部位におけるディスクトレイ１０に、弾性部材７との干渉を避ける逃げ孔２０を穿設し、弾性部材７の設置スペースを広くし、防振部材６による防振ストロークに余裕を持たせることによって防振性能を高めるようにしている。
【００３４】
このようにして防振材である弾性部材７を大きくすることによって，弾性部材７を固定する支柱９はディスクトレイ１０よりも突出することになるため、支柱９の先端部でディスクトレイ１０を支持することができなくなる。
【００３５】
このため、実施形態２では、トレイ支持体１８として、鍔部２１が付いたキャップ部材２２と中空部材２３とを用い、支柱９上にキャップ部材２２を載置して逃げ孔２０から挿入し、かつキャップ部材２２の鍔部２１に中空部材２３を載置して、この中空部材２３によりディスクトレイ１０の下側部を支えるようにしている。
【００３６】
したがって、実施形態２の構成によれば、実施形態１と同様に、ディスクトレイ１０に発生する振動を抑制することができ、さらに、弾性部材７を大きくすることによってトレイ振動を増幅させる装置自体から発生する自励振動も低減されることから、トレイ振動に伴う騒音がより効果的に低減されることになる。
【００３７】
図４は本発明の実施形態３を説明するための光ディスクドライブ装置の要部を示す側面断面図であり、実施形態３は実施形態２と基本構成が同様であるが、トレイ支持体１８における中空部材２５の形状を断面Ｌ形状にし、防振部材６の上部外周と逃げ孔２０との隙間を、中空部材２５における上部２５ａにて塞ぐようにした点が異なっている。
【００３８】
このようにしたため、ディスクトレイ１０に穿設された逃げ孔２０と防振部材６との隙間部分に、支持材である中空部材２５の上部２５ａが入り込むことになるため、ディスクトレイ１０を下側部から押さえるのみである構造と比較し、より確実にディスクトレイ１０を押さえ付け、支持することができるため、装置自励振動の低減効果がより大きくなる。また、逃げ孔２０周囲に通気通路が存在すると、それがディスク回転に伴う風に対して、笛のような役割を果たすため、ディスク間による風切り音を増幅させることになるが、実施形態３のように、逃げ孔２０の隙間を閉塞してトレイ面を滑らかな形状にすることによって、風切り音の増幅を防ぐことができる。
【００３９】
図５は本発明の実施形態４を説明するための光ディスクドライブ装置の要部を示す斜視図、図６は図５に示す実施形態４の側面断面図であり、実施形態４では、トレイ支持体２７をディスクトレイ１０における受皿部１１以外の部位の内部筐体８の端部に設け、かつ本例では光ディスクドライブ装置の前面側、すなわちフロントパネル１５側の前側部分１０ａに、トレイ支持体２７を設置している。
【００４０】
実施形態４では、ディスクトレイ１０における前側部分１０ａの両側に通孔２８を穿設し、この通孔２８に断面凸状のトレイ支持体２７における先端部２７ａが遊嵌され、トレイ支持体２７の水平部２７ｂによりディスクトレイ１０の下側部を受けるようになっている。具体的には、ローディング時にディスクトレイ１０が図１に示す位置から移動して、図６に示す水平位置にディスクトレイ１０が移動する際に、トレイ支持体２７の先端部２７ａが通孔２８に入り込むような設置構造になっている。
【００４１】
このようにしたため、ディスクトレイ１０がフロントパネル１５のドア１６以外の部分においても固定されることとなり、ディスクトレイ１０に発生する振動が押さえ込まれ、その振動に伴う騒音が低減される。特に実施形態４では、トレイ支持体２７の水平部２７ｂでディスクトレイ１０の下側面を押え、さらにトレイ支持体２７の先端部２７ａを通孔２８に遊嵌することによって、全軸方向における振動抑制効果が得られる。
【００４２】
また、ディスクトレイ１０の受皿部１１に孔を穿設したり、突起形状を設けたりすると、その形状がディスク回転に伴う風と干渉して、風切り音の増幅源となるが、実施形態４のようにディスクトレイ１０の受皿部１１以外に孔を穿設するならば、このような悪影響の発生を回避することができる。
【００４３】
図７は本発明の実施形態５を説明するための光ディスクドライブ装置の要部を示す斜視図、図８は図７に示す実施形態５の側面断面図であり、実施形態５が実施形態４と異なる点は、フロントパネル１５側の前側部分１０ａに、ディスクトレイ１０における横方向に延在するように長孔３０を平面視円弧状に穿設し、トレイ支持体３１における水平部３１ｂから延出する先端部３１ａを長孔３０から立壁状に突出させ、トレイ支持体３１の水平部３１ｂによりディスクトレイ１０の下側部を受けるようにした構成である。
【００４４】
実施形態５でも実施形態４と同様に、ローデイング時に図１に示す位置から移動して、図８に示す水平位置にディスクトレイ１０が移動する際に、トレイ支持体３１の先端部３１ａが長孔３０に挿入するような設置構造になっている。
【００４５】
このようにしたため、実施形態５においても、前記と同様に振動に伴う騒音が低減される。さらに、ディスクトレイ１０に穿設された円弧形状の長孔３０に、同じく円弧形状のトレイ支持体３１の先端部３１ａが嵌挿する構成であることから、ディスクトレイ１０における平面全方向へのがた付きがほぼ打ち消され、高い振動抑制効果が得られる、しかも、ディスクトレイ１０から突出する壁形状のトレイ支持体３１の先端部３１ａは、ディスクトレイ１０の受皿部１１で発生するディスク回転に伴う風切り音に対して、装置前面部への防音壁の役割を果たすため、装置全体として、より高い騒音低減効果が得られる。
【００４６】
【発明の効果】
以上説明したように、本発明によれば、光ディスク回転機構が光ディスクを保持する際に、光ディスクの受皿となるディスクトレイを下側からトレイ支持体により支えることにより、騒音の発生源であるディスクトレイ部分における振動を、トレイ支持体を具備しない従来装置に比べて良好に抑制することができるため、ディスクトレイの振動に伴う騒音を効果的に低減することができる実際的な光ディスクドライブ装置を提供することができる。
【図面の簡単な説明】
【図１】本発明に係る実施形態１を説明するための光ディスクドライブ装置の概略構成を示す分解斜視図
【図２】実施形態１の光ディスクドライブ装置の側面断面図
【図３】本発明に係る実施形態２を説明するための光ディスクドライブ装置の要部を示す側面断面図
【図４】本発明に係る実施形態３を説明するための光ディスクドライブ装置の要部を示す側面断面図
【図５】本発明に係る実施形態４を説明するための光ディスクドライブ装置の要部を示す斜視図
【図６】実施形態４の光ディスクドライブ装置の側面断面図
【図７】本発明に係る実施形態５を説明するための光ディスクドライブ装置の要部を示す斜視図
【図８】実施形態５の光ディスクドライブ装置の側面断面図
【符号の説明】
１　スピンドルモータ
２　光ディスク
３　クランパ
６　防振部材
７　弾性部材
８　内部筐体
９　支柱
１０　ディスクトレイ
１１　受皿部
１３　ベースフレーム
１４　トップカバー
１５　フロントパネル
１６　ドア
１８，２７，３１　トレイ支持体
２０　逃げ孔
２１　鍔部
２２　キャップ部材
２３，２５　中空部材
２８　通孔
３０　長孔
【図１】
2004110927.tif 000003
【図２】
2004110927.tif 000004
【図３】
2004110927.tif 000005
【図４】
2004110927.tif 000006
【図５】
2004110927.tif 000007
【図６】
2004110927.tif 000008
【図７】
2004110927.tif 000009
【図８】
2004110927.tif 000010